(57)【要約】【課題】面状赤外線放射バーナの火力抑制を回避しながら、焼き網に保持された食材から汁などが落下しても、煙を発生することのない焼き物調理器の提供。【解決手段】食材１０を保持する焼き網７と、赤外線を面状に放射する面状赤外線放射バーナ５とを備え、面状赤外線放射バーナ５が、焼き網７に保持された食材１０を加熱調理するように構成されている焼き物調理器で、面状赤外線放射バーナ５が、焼き網７の下方から退避した位置に設置され、かつ、斜め上方を向くように傾斜した状態で設置可能に構成されている。【選択図】図２
2015202315.tif 000002
【特許請求の範囲】
【請求項１】
食材を保持する焼き網と、赤外線を面状に放射する面状赤外線放射バーナとを備え、当該面状赤外線放射バーナが、前記焼き網に保持された食材を加熱調理するように構成されている焼き物調理器であって、
前記面状赤外線放射バーナが、前記焼き網の下方から退避した位置に設置され、かつ、斜め上方を向くように傾斜した状態で設置可能に構成されている焼き物調理器。
【請求項２】
前記焼き網が、その上面に食材を載置保持する焼き網で、前記面状赤外線放射バーナが、当該焼き網の斜め下方に設置され、かつ、当該焼き網の方を向くように設置可能に構成されている請求項１に記載の焼き物調理器。
【請求項３】
前記焼き網が、前記面状赤外線放射バーナと同じ向きに傾斜した状態で配置可能に構成されている請求項２に記載の焼き物調理器。
【請求項４】
前記面状赤外線放射バーナから放射される赤外線を反射する反射板が、前記焼き網を挟んで前記面状赤外線放射バーナの反対側に配設され、前記面状赤外線放射バーナからの赤外線を前記焼き網に向けて反射させる請求項３に記載の焼き物調理器。
【請求項５】
前記反射板が、その傾斜角度を変更可能な状態で設けられている請求項４に記載の焼き物調理器。
【請求項６】
前記焼き網が、食材を挟持保持する開閉自在な一対の焼き網片を備えた開閉式焼き網で、当該開閉式焼き網が、上下方向に垂下した状態で配置可能に構成され、前記面状赤外線放射バーナが、当該開閉式焼き網の横側方に設置され、かつ、当該開閉式焼き網の方を向くように設置可能に構成されている請求項１に記載の焼き物調理器。
【請求項７】
前記面状赤外線放射バーナが、その傾斜角度を変更可能な状態で設けられている請求項１〜６のいずれか１項に記載の焼き物調理器。
【請求項８】
前記面状赤外線放射バーナが、調理器の天板の下方に設置されている請求項１〜７のいずれか１項に記載の焼き物調理器。
【発明の詳細な説明】
【技術分野】
【０００１】
本発明は、食材を保持する焼き網と、赤外線を面状に放射する面状赤外線放射バーナとを備え、当該面状赤外線放射バーナが、前記焼き網に保持された食材を加熱調理するように構成されている焼き物調理器に関する。
【背景技術】
【０００２】
食材を加熱調理する焼き物調理器では、食材を保持する焼き網の下方から加熱する、いわゆる、下火式の焼き物調理器が一般的である。下火式の焼き物調理器の加熱源としては、例えば、パイプ式のブンゼンバーナや面状赤外線放射バーナなどが知られているが、面状赤外線放射バーナは、バーナ自体が広い加熱面積を備え、かつ、赤外線も放射することから、特に焼き物調理器の加熱源として好適である。
ところが、面状赤外線放射バーナを焼き網の下方に設置すると、焼き網に保持された食材からの汁など、例えば、食材が焼き鳥の場合であれば、肉汁やタレなどが、下方の面状赤外線放射バーナ上に落下して、面状赤外線放射バーナを汚すばかりか、場合によっては、加熱不良や故障の原因ともなる。
そこで、従来、面状赤外線放射バーナを焼き網の下方に設置し、当該面状赤外線放射バーナの上方を赤外線透過の耐熱ガラスにより覆った構成のものが知られている（例えば、特許文献１参照）。
【先行技術文献】
【特許文献】
【０００３】
【特許文献１】実公平４−２５０８６号公報
【発明の概要】
【発明が解決しようとする課題】
【０００４】
しかしながら、上記特許文献に記載の焼き物調理器では、面状赤外線放射バーナの上方が耐熱ガラスにより覆われているので、耐熱ガラスによって面状赤外線放射バーナの火力が抑制されて加熱効率が悪くなるという問題があり、更に、耐熱ガラスの上に肉汁やタレなどが落ちると、耐熱ガラスが高温であるため、肉汁やタレなどが燃えて煙を発生するという問題もあった。
【０００５】
本発明は、このような従来の問題点に着目したもので、その目的は、面状赤外線放射バーナの火力抑制を回避しながら、焼き網に保持された食材から汁などが落下しても、煙を発生することのない焼き物調理器を提供することにある。
【課題を解決するための手段】
【０００６】
上記目的を達成するための本発明による焼き物調理器は、食材を保持する焼き網と、赤外線を面状に放射する面状赤外線放射バーナとを備え、当該面状赤外線放射バーナが、前記焼き網に保持された食材を加熱調理するように構成されている焼き物調理器であって、
その特徴構成は、前記面状赤外線放射バーナが、前記焼き網の下方から退避した位置に設置され、かつ、斜め上方を向くように傾斜した状態で設置可能に構成されている点にある。
【０００７】
上記特徴構成によれば、面状赤外線放射バーナが、焼き網の下方から退避した位置に設置されているので、面状赤外線放射バーナの上方を耐熱ガラスなどで覆う必要はなく、また、食材の汁などが下方へ落下しても、燃えて煙を発生することもない。
そして、面状赤外線放射バーナは、斜め上方を向くように、つまり、食材を保持する焼き網の方を向くように傾斜した状態で設置可能であるから、焼き網の下方から退避した位置に設置されているにもかかわらず、食材を効率よく加熱調理することができる。
その結果、面状赤外線放射バーナの火力抑制を回避しながら、焼き網に保持された食材から汁などが落下しても、煙を発生することのない焼き物調理器を提供することが可能となった。
【０００８】
本発明による焼き物調理器の更なる特徴構成は、前記焼き網が、その上面に食材を載置保持する焼き網で、前記面状赤外線放射バーナが、当該焼き網の斜め下方に設置され、かつ、当該焼き網の方を向くように設置可能に構成されている点にある。
【０００９】
上記特徴構成によれば、焼き網の上面に各種の食材を載置して加熱調理することができ、当該焼き網の斜め下方に設置された面状赤外線放射バーナが、焼き網の方を向くように設置可能であるから、焼き網上に載置された食材を効率よく加熱調理することができる。
【００１０】
本発明による焼き物調理器の更なる特徴構成は、前記焼き網が、前記面状赤外線放射バーナと同じ向きに傾斜した状態で配置可能に構成されている点にある。
【００１１】
上記特徴構成によれば、焼き網が、面状赤外線放射バーナと同じ向きに傾斜した状態で配置可能であるから、焼き網上に載置された食材をより一層効率よく加熱調理することができる。
【００１２】
本発明による焼き物調理器の更なる特徴構成は、前記面状赤外線放射バーナから放射される赤外線を反射する反射板が、前記焼き網を挟んで前記面状赤外線放射バーナの反対側に配設され、前記面状赤外線放射バーナからの赤外線を前記焼き網に向けて反射させる点にある。
【００１３】
上記特徴構成によれば、面状赤外線放射バーナからの赤外線を反射する反射板が、焼き網を挟んで面状赤外線放射バーナの反対側に配設され、焼き網に向けて赤外線を反射させるので、焼き網上の食材は、焼き網の斜め下方から面状赤外線放射バーナにより加熱されるとともに、面状赤外線放射バーナに対向する斜め下方から反射板による反射赤外線により加熱されることになり、焼き網上に載置された食材を更に効率よく加熱調理することができる。
【００１４】
本発明による焼き物調理器の更なる特徴構成は、前記反射板が、その傾斜角度を変更可能な状態で設けられている点にある。
【００１５】
上記特徴構成によれば、例えば、食材の形状や種類、あるいは、焼き網に対する食材の載置位置などに応じて、反射板の傾斜角度を加熱調理に最適な角度に変更することができるので、食材の形状や種類などに影響されることなく、常に効率よく加熱調理することができる。
【００１６】
本発明による焼き物調理器の更なる特徴構成は、前記焼き網が、食材を挟持保持する開閉自在な一対の焼き網片を備えた開閉式焼き網で、当該開閉式焼き網が、上下方向に垂下した状態で配置可能に構成され、前記面状赤外線放射バーナが、当該開閉式焼き網の横側方に設置され、かつ、当該開閉式焼き網の方を向くように設置可能に構成されている点にある。
【００１７】
上記特徴構成によれば、一対の焼き網片を備えた開閉式焼き網により各種の食材を挟持し、かつ、開閉式焼き網を上下方向に垂下した状態で加熱調理することができ、当該開閉式焼き網の横側方に設置された面状赤外線放射バーナが、開閉式焼き網の方を向くように設置可能であるから、開閉式焼き網により挟持された食材を効率よく加熱調理することができる。
【００１８】
本発明による焼き物調理器の更なる特徴構成は、前記面状赤外線放射バーナが、その傾斜角度を変更可能な状態で設けられている点にある。
【００１９】
上記特徴構成によれば、例えば、食材の形状や種類、あるいは、焼き網に対する食材の載置位置、更に、反射板が設けられている場合には、反射板の位置や傾斜角度などに応じて、面状赤外線放射バーナの傾斜角度を加熱調理に最適な角度に変更して、食材を効率よく良好に加熱調理することができる。
【００２０】
本発明による焼き物調理器の更なる特徴構成は、前記面状赤外線放射バーナが、調理器の天板の下方に設置されている点にある。
【００２１】
上記特徴構成によれば、調理器の天板が、面状赤外線放射バーナの上方を覆うカバーとして機能することになり、面状赤外線放射バーナへの他物の落下を防止するとともに、塵埃などの付着抑制にも寄与することになる。
【図面の簡単な説明】
【００２２】
【図１】第１実施形態による焼き物調理器の上面図
【図２】第１実施形態による焼き物調理器の縦断正面図
【図３】第２実施形態による焼き物調理器の縦断正面図
【図４】第３実施形態による焼き物調理器の上面図
【図５】第３実施形態による焼き物調理器の縦断正面図
【図６】第３実施形態による焼き物調理器の開閉式焼き網の斜視図
【発明を実施するための形態】
【００２３】
本発明による焼き物調理器の実施形態を図面に基づいて説明する。
（第１実施形態）
第１実施形態による焼き物調理器は、図１および図２に示すように、例えば、中空の直方形で上面開口の調理器本体１を備え、調理器本体１の上面開口部は、焼き網用開口部２を有する状態で、調理器の２枚の調理用の天板３と１枚の作業用の天板４により覆われ、調理器本体１内には、面状赤外線放射バーナ５が収納設置されている。
面状赤外線放射バーナ５は、例えば、都市ガスなどを燃料として赤外線を面状に放射する赤外線バーナやメタルニットバーナなどで、２枚の調理用の天板３のうちの一方の天板３の下方に位置する状態で設置され、調理器本体１の底部には、水を張った汁受け皿６が調理器本体１から取り外し自在に配置されている。
【００２４】
焼き網用開口部２は、面状赤外線放射バーナ５によって、焼き網７に載置保持された食材としての焼き鳥１０を加熱調理するための開口部で、２枚の調理用の天板３間にわたって焼き網７を載置することにより、後述するように、焼き鳥１０が焼き網用開口部２上または焼き網用開口部２内に位置するように設定されている。
焼き網７は、焼き鳥１０を載置する載置部７ａと載置部７ａから延出する把持部７ｂを備え、把持部７ｂの反対側には、把持部７ｂ側に向けて斜め上方に延出する一対の引掛け部７ｃが連設され、各引掛け部７ｃの先端には、引掛け片７ｄが設けられている。
当該焼き網７は、図２に仮想線で示すように、２枚の調理用の天板３間にわたって載置することで、載置部７ａが水平となって焼き網用開口部２上に位置する水平姿勢と、図２に実線で示すように、引掛け部７ｃの先端の引掛け片７ｄを一方の天板３の端部に引掛けることで、載置部７ａが傾斜して焼き網用開口部２内に位置する傾斜姿勢とに姿勢変更可能に構成されている。
【００２５】
この姿勢変更可能な焼き網７に対して、面状赤外線放射バーナ５は、焼き網７の下方から斜め下方、つまり、調理者（作業用の天板４側）から見て左側に退避した位置で、左側に位置する調理用の天板３の下方に設置されている。
面状赤外線放射バーナ５は、その傾斜角度が変更可能に構成され、例えば、焼き網７が水平姿勢にあるとき、その載置部７ａに向けて斜め上方を向くように傾斜した状態に設置したり、焼き網７が傾斜姿勢にあるとき、載置部７ａと同じ向きに傾斜して、焼き網７の載置部７ａとほぼ平行になるように設置するなど、焼き網７の姿勢や焼き鳥１０に対する加熱具合などに応じて、その傾斜角度を自由に設定することが可能である。
図示する例では、この傾斜角度の調整は面状赤外線バーナ５に設けられた水平揺動軸５ａ周りの揺動と、所定揺動位置での位置固定により面状赤外線バーナ５の傾斜角度を確定できる。
【００２６】
調理者から見て右側に位置する調理用の天板３の下方には、面状赤外線放射バーナ５から放射される赤外線を反射する反射板１１が、焼き網７を挟んで面状赤外線放射バーナ５の反対側に位置する状態で配設され、面状赤外線放射バーナ５からの赤外線を焼き網７の載置部７ａに向けて反射させるように構成されている。
当該反射板１１は、面状赤外線放射バーナ５からの赤外線が焼き網７の載置部７ａに向けて効率よく反射されるように、例えば、くの字状に折り曲げられた形状を有し、図２中に矢印で示すように、その上端部を中心として傾斜角度が変更可能に構成され、更に、清掃を容易にするために取り外し可能に構成されている。
ただし、反射板１１の形状は、特にくの字状に限るものではなく、焼き網用開口部２の位置や焼き網７の形状などに応じて種々の形状を採用することができる。
【００２７】
（第２実施形態）
第２実施形態による焼き物調理器は、図３に示すように、第１実施形態と同じような調理器本体１、調理用の天板３、作業用の天板４（図外）、および、汁受け皿６などを備え、焼き網用開口部２が、第１実施形態のものに比べて左右方向に広い幅で開口している。
２枚の調理用の天板３間にわたって載置する焼き網８は、広い幅の焼き網用開口部２に対応するように、その全面が食材としての焼き鳥１０を載置保持する載置部８ａとして構成されたもの、あるいは、載置部８ａと載置部８ａの端部から延出する把持部８ｂとを備えたものが使用される。
調理器本体１内には、２つの面状赤外線放射バーナ５が、調理者から見て焼き網８の左右に退避した位置で、調理用の天板３の下方にそれぞれ位置するように収納設置され、これら２つの面状赤外線放射バーナ５も、例えば、焼き網８の載置部８ａに載置された焼き鳥１０に向けて斜め上方を向くように傾斜した状態に設置するなど、その傾斜角度が自由に設定できるように構成されている。
【００２８】
（第３実施形態）
第３実施形態による焼き物調理器は、図４および図５に示すように、第１および第２実施形態と同じような調理器本体１、調理用の天板３、作業用の天板４、および、汁受け皿６などを備え、焼き網用開口部２が、これまでの実施形態のものに比べて左右方向に比較的狭い幅で開口している。
焼き網９は、図６に示すように、食材としての焼き鳥１０などを挟持保持する開閉自在な一対の焼き網片９ａを備えた開閉式焼き網９で、各焼き網片９ａには、それぞれ把持部９ｂが連設されている。
調理器本体１内には、焼き網９を載置保持する焼き網保持部材１２が、調理者から見て焼き網用開口部２の前後方向にそれぞれ設けられている。
【００２９】
各焼き網保持部材１２は、上下方向に配設された一対の長尺部材１２ａと長尺部材１２ａの下端部に配設されたストッパ１２ｂで構成され、把持部９ｂを上にして開閉式焼き網９を上方から挿入することにより、一対の長尺部材１２ａによりガイドされ、ストッパ１２ｂへの接当によって、開閉式焼き網９が、図５に示すように、上下方向に垂下した状態で載置保持されるように構成されている。
そして、調理器本体１内には、第２実施形態と同様に、２つの面状赤外線放射バーナ５が、調理者から見て開閉式焼き網９の左右に退避した位置で、調理用の天板３の下方にそれぞれ位置するように収納設置され、その傾斜角度が自由に設定できるように構成されている。
【００３０】
〔別実施形態〕
（１）第１〜第３実施形態では、面状赤外線放射バーナ５の傾斜角度を変更可能に構成した例を示したが、面状赤外線放射バーナ５は、必ずしもその傾斜角度を変更可能にする必要はなく、例えば、上方に位置する焼き網７、８、あるいは、横方向において垂下された開閉式焼き網９に向けて斜め上方を向くように、その傾斜角度を固定した状態で設置することもできる。
同様に、第１実施形態で示した反射板１１に関しても、その傾斜角度を固定した状態で設置することも可能である。
【００３１】
（２）第１実施形態では、面状赤外線放射バーナ５をひとつだけ設けた例を示したが、反射板１１に代えて別の面状赤外線放射バーナ５を配設し、２つの面状赤外線放射バーナ５により加熱調理するように構成することもできる。
逆に、第２と第３実施形態では、２つの面状赤外線放射バーナ５を設けた例を示したが、これらの実施形態において、いずれか一方の面状赤外線放射バーナ５を無くすか、あるいは、面状赤外線放射バーナ５に代えて第１実施形態で示したような反射板１１を配設し、ひとつの面状赤外線放射バーナ５により加熱調理するように構成することもできる。
【００３２】
（３）これまでの実施形態では、面状赤外線放射バーナ５を調理用の天板３の下方に設置した例を示したが、面状赤外線放射バーナ５は、焼き網７、８、９の下方から退避した位置であればよく、必ずしも調理用の天板３の下方に設置する必要はない。
そして、本願の焼き物調理器は、業務用、一般家庭用を問わず適用可能であり、また、食材１０の一例として焼き鳥を示したが、各種の肉類をはじめとして、魚などの魚介類、茄子などの野菜類など、各種の食材１０を調理対象として使用することができる。
【符号の説明】
【００３３】
３        調理用の天板
５        面状赤外線放射バーナ
７、８    焼き網
９        開閉式焼き網
９ａ      焼き網片
１０        食材
１１      反射板
【図１】
2015202315.tif 000003
【図２】
2015202315.tif 000004
【図３】
2015202315.tif 000005
【図４】
2015202315.tif 000006
【図５】
2015202315.tif 000007
【図６】
2015202315.tif 000008